(57)【要約】      （修正有）【課題】スライド式ペーパーガイド装置を具備した自動フィードスキャナーを提供する。【解決手段】  スライド式ペーパーガイド装置を具備した自動フィードスキャナーは、プラットホーム式スキャナーと自動取込装置を含む。プラットホーム式スキャナーのケース内にはスライド式ペーパーガイド装置を設置してスライド式ペーパーガイド装置はペーパーガイド装置、少なくとも一つの凹溝２０３、複数の弾性体２０４及び固定板２０５を含む。ペーパーガイド装置はスキャンされる大きいサイズのドキュメントの損傷を防止するために上下移動することができる。【選択図】図３ａ
2008303065.tif 000002
【特許請求の範囲】
【請求項１】
自動フィードスキャナーがプラットホーム式スキャナーと自動取込装置を含み、前記スライド式ペーパーガイド装置が前記プラットホーム式スキャナーのケース内に設置されるスライド式ペーパーガイド装置を具備した自動フィードスキャナーであって、
前記スライド式ペーパーガイド装置が、
前記自動取込装置より伝送されるドキュメントをガイドして前記プラットホーム式スキャナーを通すためのペーパーガイド装置と、
前記ケースに設置する少なくとも一つの凹溝と、
前記ペーパーガイド装置を前記凹溝内で前記ケースに対向して上下移動を行う複数の弾性体と、
前記ケースと接続して前記複数の弾性体をその上に固定する固定板を含むことを特徴とするスライド式ペーパーガイド装置を具備した自動フィードスキャナー。
【請求項２】
前記少なくとも一つの凹溝は単一の長方形凹溝であり、また前記ペーパーガイド装置はペーパーガイドプレートと一列になった突起リブを含み、且つ前記ペーパーガイドプレートと一列になった突起リブは一体成型であることを特徴とする請求項１に記載するスライド式ペーパーガイド装置を具備した自動フィードスキャナー。
【請求項３】
前記ペーパーガイドプレートとの両側にそれぞれ固定リングを取付け、且つ前記長方形凹溝に両側壁にそれぞれ突出ピンを取付けて前記固定リングを貫通することを特徴とする請求項１に記載するスライド式ペーパーガイド装置を具備した自動フィードスキャナー。
【請求項４】
前記ペーパーガイド装置が連接棒及び前記連接棒に連結した複数の突起リブを含み、前記少なくとも一つの凹溝は複数の凹溝を含み、且つ各前記突起リブがそれぞれ各前記凹溝内で上下移動することを特徴とする請求項２に記載するスライド式ペーパーガイド装置を具備した自動フィードスキャナー。
【請求項５】
前記連接棒の両端は前記ケースに固定し、前記複数の弾性体は前記連接棒式ペーパーガイドの前記連接棒の両端に設置すると共に前記固定板に当接し、前記連接棒式ペーパーガイドを前記ケースに対向して上下移動させることを特徴とする請求項４に記載するスライド式ペーパーガイド装置を具備した自動フィードスキャナー。
【請求項６】
前記ペーパーガイド装置は前記複数の突起リブを含み、且つ前記少なくとも一つの凹溝が複数の凹溝を含むことを特徴とする請求項１に記載するスライド式ペーパーガイド装置を具備した自動フィードスキャナー。
【請求項７】
各前記突起リブの両側に各々突起ピンを取付け、且つ各前記凹溝の両側壁に各々係合凹部を設けて前記突起ピンを収め、各前記突起リブの一端は前記ケースに固定し、各前記突起リブの他端はそれぞれ前記複数の弾性体に当接し前記ケースに対向して上下移動することを特徴とする請求項６に記載するスライド式ペーパーガイド装置を具備した自動フィードスキャナー。
【請求項８】
前記複数の弾性体が複数のスプリングであることを特徴とする請求項１に記載するスライド式ペーパーガイド装置を具備した自動フィードスキャナー。
【請求項９】
前記複数の弾性体が複数の弾性板であることを特徴とする請求項１に記載するスライド式ペーパーガイド装置を具備した自動フィードスキャナー。
【発明の詳細な説明】
【技術分野】
【０００１】
本発明は自動フィードスキャナーに関し、特にスライド式ペーパーガイド装置を具備した自動フィードスキャナーに関する。
【背景技術】
【０００２】
自動フィードスキャナーは自動フィードの機能を具えていることでユーザーに広く使用されている。自動フィードスキャナーは一般に自動フィード装置とプラットホーム式スキャナーを含む。自動フィード装置はプラットホーム式スキャナーのガラスプラットホーム上に置かれ、フィード式スキャンをする場合、ドキュメントは自動フィード装置によって送られてスキャンされ、プラットホーム式スキャンをする場合、ドキュメントはガラスプラットホーム上に置かれてスキャンされる。
【０００３】
図１ａは従来の自動フィードスキャナーの構造概略図である。図１ａでは従来の自動フィードスキャナー１００のプラットホーム式スキャナー１０１、ガラスプラットホーム１０２、フィード式スキャン用のスキャンウィンドウ１０３及び突起リブ１０４を示している。突起リブ１０４はスキャンウィンドウ１０３の片側に取付けられ、自動フィード装置（図示せず）がフィードしたドキュメントをガイドしてスキャンウィンドウ１０３を通過させてスキャンする。従来の自動フィードスキャナー１００には下記の欠点がある。プラットホーム式スキャンをする場合、スキャンされるドキュメントＰが例えば地図のようなサイズでガラスプラットホームのサイズよりも大きいと、スキャンされるドキュメントＰがガラスプラットホーム１０２上に置かれると、ドキュメントＰは突起リブ１０４を覆ってしまう。またスキャンする前に、ユーザーが上蓋機能に相当する自動フィード装置（図示せず）でガラスプラットホーム１０２をカバーしないとプラットホーム式スキャンができない。突起リブ１０４が突起構造であることで、自動フィード装置がガラスプラットホーム１０２をカバーする場合、下向きの力をドキュメントＰに加えると、図１ｂで示すように、ドキュメントＰは力を受けて突起リブ１０４に突き抜かれてドキュメントＰは損傷してしまう。
【０００４】
従って改良された自動フィードスキャナーで上記の問題を改善する必要がある。
【発明の開示】
【発明が解決しようとする課題】
【０００５】
本発明の目的は自動フィードスキャナーを提供することにあり、特にドキュメント損傷防止用のスライド式ペーパーガイド装置を具備した自動フィードスキャナーに関する。
【課題を解決するための手段】
【０００６】
好ましい実施例において、本発明はスライド式ペーパーガイド装置を具備した自動フィードスキャナーを提案し、前記自動フィードスキャナーはプラットホーム式スキャナーと自動取込装置を含み、スライド式ペーパーガイド装置はプラットホーム式スキャナーのケース内に設置され、そのうちスライド式ペーパーガイド装置が、自動取込装置より伝送されるドキュメントをガイドしてプラットホーム式スキャナーを通すためのペーパーガイド装置と、ケースに設置する少なくとも一つの凹溝と、ペーパーガイド装置を凹溝内でケースに対向して上下移動を行う複数の弾性体と、ケースと接続して複数の弾性体の上に固定する固定板を含む。
【０００７】
好ましい実施例において、少なくとも一つの凹溝は単一の長方形凹溝であり、またペーパーガイド装置はペーパーガイドプレートと一列になった突起リブを含み、且つペーパーガイドプレートと一列になった突起リブは一体成型である。
【０００８】
好ましい実施例において、ペーパーガイドプレートとの両側にそれぞれ固定リングを取付け、且つ長方形凹溝に両側壁にそれぞれ突出ピンを取付けて前記固定リングを貫通する。
【０００９】
好ましい実施例において、ペーパーガイド装置が連接棒及び連接棒に連結した複数の突起リブを含み、少なくとも一つの凹溝は複数の凹溝を含み、且つ各突起リブがそれぞれ各凹溝内で上下移動する。
【００１０】
好ましい実施例において、連接棒の両端はケースに固定し、複数の弾性体は連接棒式ペーパーガイドの連接棒の両端に設置すると共に固定板に当接し、連接棒式ペーパーガイドをケースに対向して上下移動させる。
【００１１】
好ましい実施例において、ペーパーガイド装置は複数の突起リブを含み、且つ少なくとも一つの凹溝が複数の凹溝を含む。
【００１２】
好ましい実施例において、各突起リブの両側に各々突起ピンを取付け、且つ各凹溝の両側壁に各々係合凹部を設けて突起ピンを収め、各突起リブの一端はケースに固定し、各突起リブの他端はそれぞれ弾性体に当接しケースに対向して上下移動する。
【００１３】
好ましい実施例において、複数の弾性体は複数のスプリングである。
【００１４】
好ましい実施例において、複数の弾性体は複数の弾性板である。
【発明を実施するための最良の形態】
【００１５】
本発明を次に図面により詳細に説明する。
【実施例】
【００１６】
図２は本発明におけるスライド式ペーパーガイド装置の好ましい実施例の構造概略図である。プラットホーム式スキャナーＦ上にガラスプラットホームＧ１を取付けプラットホーム式スキャンをする際に使用し、またスキャンウィンドウＧ２は自動取込装置でフィードされるドキュメントに用いられる。このほか、本案件のぺーパーガイド装置ＲはスキャンウィンドウＧ２の片側に設置され、また前記ぺーパーガイド装置Ｒは上下移動することができる。詳述すると、自動取込装置でドキュメントをフィードしてスキャンする際、ぺーパーガイド装置ＲはドキュメントがスムースにスキャンウィンドウＧ２に進入しスキャンするのをサポートし、こうしたフィード式スキャンの状況では、ぺーパーガイド装置Ｒは上下移動することなく、その機能は従来の固定式ぺーパーガイド装置と同様である。プラットホーム式スキャナーＦで大きいサイズのドキュメントをスキャンする際、ユーザーが上蓋機能と同様な自動取込装置がガラスプラットホームＧ１をカバーすると、自動取込装置はぺーパーガイド装置Ｒに下方向の圧力を加え、ぺーパーガイド装置Ｒがスライドすることができるため、ぺーパーガイド装置Ｒは前記下方向の圧力によって下方移動し、これによりぺーパーガイド装置Ｒ上の大きいサイズのドキュメントはぺーパーガイド装置Ｒに突き刺されることなく、ドキュメントは無傷のままである。
【００１７】
本発明に係るスライド式ペーパーガイド装置を具備した自動フィードスキャナーの幾つかの実施例を以下で説明する。
【００１８】
図３は本発明のスライド式ペーパーガイド装置の第一実施例の構造概略図である。本発明のスライド式ペーパーガイド装置の凹溝内は側壁だけ設けられ台座がなく、凹溝底部に設けられた固定板を凹溝の台座とし、固定板はプラットホーム式スキャナーのケース背面に固定され、弾性体を固定板に取付けて突起リブに当接させている様子が、下の図からはっきりと見出すことが出来る。図３ａは本発明の第一実施例のスライド式ペーパーガイド装置第一弾性体の構造分解図の一部である。図３ａでは、プラットホーム式スキャナーのケース２０２に複数の凹溝２０３（図では凹溝を代表例として提示して説明する）があり、複数の凹溝２０３は同数の突起リブ２０６に対応しており、また各突起リブ２０６は凹溝２０３を貫通している。突起リブ２０６の両側には共に突起ピン２０７を取付け、突起ピン２０７は凹溝２０３の両側壁に取付けた係合凹溝２０８に係合しており、また図３ｅで示すように、図３ｅはプラットホーム式スキャナーのケース下方より上向き角度での構造概略図であって、また固定板及び弾性体は前記図中では表示していない。
【００１９】
図３ａ、ｂの第一実施例では、突起ピン２０７と係合凹溝２０８が結合して突起リブ２０６の一端をケース２０２上に固定させる。第一実施例で、第一弾性体２０４は弾性板で、弾性板は固定板２０５と一体成型になっており、固定板２０５はケース２０２と接続している。また第一弾性体２０４が突起リブ２０６の一端に当接して、突起リブ２０６が下方圧力を受けると、突起リブ２０６上の突起ピン２０７は係合凹溝２０８に対して回転して突起リブ２０６を凹溝２０３のノッチを貫通して下方移動させることで、図３ｂで示すように突起リブ２０６は第一弾性体２０４を押し出して突起リブ２０６を凹溝２０３のノッチより下の位置まで下方移動させる。図３ｃ、ｄは本発明第一実施例のスライド式ぺーパーガイド装置第二弾性体の一部分の概略図である。その作動状況は第一弾性体を使用したスライド式ペーパーガイドと大差なく、その違いは弾性体２０４が弾性板（第一弾性体）から散見されるスプリング（第二弾性体）に変えたことにあり、スプリングは固定板２０５上に取付けられ固定板２０５とは一体成型とはなっておらず、その他の部分は第一弾性体を使用したスライド式ペーパーガイド装置の構造と全く同じであり、第一弾性体若しくは第二弾性体を使用したスライド式ペーパーガイド装置であるかを問わず、何れも第一実施例に分類される。
【００２０】
図４は本発明のスライド式ペーパーガイド装置の第二実施例の構造概略図である。図４ａから第二実施例のペーパーガイド装置はペーパーガイドプレート３０７であることがはっきりと判別でき、ペーパーガイドプレート３０７の両側にはそれぞれ固定リング３０８を取付けて、長方形凹溝３０３の側壁の突出ピン３０９と結合させる。長方形凹溝３０３の底部には固定板３０５を設置しプラットホーム式スキャナーのケース３０２と連結すると共に、複数の弾性体３０４を固定板３０５に取付けてペーパーガイドプレート３０７の底部に当接させ、ペーパーガイドプレート３０７上の突起リブ３０６が下方圧力を受けた際、ペーパーガイドプレート３０７は固定リング３０８が突出ピン３０９に対向して回転することができることにより、図４ｂで示すように、長方形凹溝３０３に対向して上下移動することができ、そのうち図４ｂは本発明第二実施例での下方移動していないスライド式ペーパーガイド装置の側面概略図で、弾性体３０４はスプリングである。自動フィードスキャナーが大きいサイズのドキュメントをスキャンしようとする際、大きいサイズのドキュメントをプラットホーム式スキャナー上に置き且つ大きいサイズのドキュメントが突起リブ３０６に被さる様にしてスキャンを開始すると、上蓋の役目をする自動フィード装置を押えて閉じるとプラットホーム式スキャナーと接触し、このとき図４ｃで示すように、押えた自動取込装置は突起リブ３０６に下方圧力を加え、突起リブ３０６に接続したペーパーガイドプレート３０７を固定リング３０８が突出ピン３０９に対向して回転させることによって下方移動させる。勿論、第二実施例の弾性体３０４も弾性板（図４ｃ中）又はスプリング（図４ｂ中）を選択使用することができ、弾性板を弾性体に選択すると、弾性板は固定板３０５と一体成型をなす。
【００２１】
図５ａ、ｂは本発明のスライド式ペーパーガイド装置の第三実施例の構造概略図である。第三実施例のペーパーガイド装置は連接棒４０７と連接棒４０７に連結された複数の突起リブ４０６を含み、図５ａでは、各突起リブ４０６は凹溝４０３に対応しており、また各突起リブ４０６は対応する凹溝４０６を貫通し、連接棒４０７の両端は凹溝４０３下のケース４０２の側壁と接続し、そのうちケース４０２の両側壁には各々連接棒凹溝４０８を設置して連接棒４０７を収めて連接棒４０７をケース４０２に固定するものの連接棒４０７は回転することができ、連接棒４０７とケース４０２の接続状況は図５ｂで示しており、図５ｂはプラットホーム式スキャナーのケースの下方から上向き角度での構造概略図であり、固定板は前記図中に標示していない。
【００２２】
大きいサイズのドキュメントをスキャンしようとする際、自動取込装置を押えて閉じると、プラットホーム式スキャナー上に置かれた大きいサイズのドキュメントに接触すると同時に、突起リブ４０６に下方圧力が加わり弾性体４０４を圧縮して、連接棒４０７が連接棒凹溝４０８に対向して回転しペーパーガイドを下向きに移動させる。
【００２３】
第三実施例の特徴は弾性体４０４が弾性板である場合、前記弾性板は連接棒４０７上に取付けられて、ケース４０２に連なる固定板に下向きに当接することにある。つまり本実施例における弾性板と固定板は一体成型ではなく、第一及び第二実施例における一体成型の弾性板と固定板とは異なる。弾性体４０４がスプリングである場合、依然としてスプリングを固定板上に取付け、スプリングは連接棒４０７に当接して連接棒４０７上に取付けられた突起リブ４０６を連接棒４０７について同時に上下移動させる。
【００２４】
本発明のスライド式ペーパーガイド装置ではプラットホーム式スキャナーに相当するケースが上下移動するが、大きいサイズのドキュメントは完全なままにて破損することはなく、従来のスキャン装置の欠点を徹底的に改善することができ、本発明はコストが低廉であるだけでなく構造も簡単で、経済的効果にも見合っており、スライド式ペーパーガイド装置に故障が起きた場合、修理或いは故障を取り除く上でもかなり容易であり、使用してみると便利である。
【００２５】
上記内容は本発明の好ましい実施例に過ぎず、本発明の特許請求の範囲を限定するものではなく、このため本発明で開示した趣旨を逸脱しない範囲において仕上げられた等価変更若しくは補正は、全て本案における特許請求の範囲内に含まれるものとする。
【図面の簡単な説明】
【００２６】
【図１ａ】従来の自動フィードスキャナーのペーパーガイド装置の構造概略図である。
【図１ｂ】従来の自動フィードスキャナーのペーパーガイド装置の構造概略図である。
【図２】本発明のスライド式ペーパーガイド装置の構造概略図である。
【図３ａ】本発明のスライド式ペーパーガイド装置の第一実施例の構造概略図である。
【図３ｂ】本発明のスライド式ペーパーガイド装置の第一実施例の構造概略図である。
【図３ｃ】本発明のスライド式ペーパーガイド装置の第一実施例の構造概略図である。
【図３ｄ】本発明のスライド式ペーパーガイド装置の第一実施例の構造概略図である。
【図３ｅ】本発明のスライド式ペーパーガイド装置の第一実施例の構造概略図である。
【図４ａ】本発明のスライド式ペーパーガイド装置の第二実施例の構造概略図である。
【図４ｂ】本発明のスライド式ペーパーガイド装置の第二実施例の構造概略図である。
【図４ｃ】本発明のスライド式ペーパーガイド装置の第二実施例の構造概略図である。
【図５ａ】本発明のスライド式ペーパーガイド装置の第三実施例の構造概略図である。
【図５ｂ】本発明のスライド式ペーパーガイド装置の第三実施例の構造概略図である。
【符号の説明】
【００２７】
１００                  自動フィードスキャナー
１０１、Ｆ              プラットホーム式スキャナー
１０２、Ｇ１            ガラスプラットホームプレート
１０３、Ｇ２            スキャンウィンドウ
１０４                  突起リブ
２０２、３０２、４０２  ケース
２０３、３０３、４０３  凹溝
２０４、３０４、４０４  弾性体
２０５、３０５          固定板
２０６、３０６、４０６  突起リブ
２０７                  突起ピン
２０８                  係合凹部（溝）
３０７                  ペーパーガイドプレート
３０８                  固定リング
３０９                  突出ピン
４０７                  連接棒
４０８                  連接棒凹溝
Ｐ                      大きいサイズのドキュメント
Ｒ                      ペーパーガイド装置
【図１ａ】
2008303065.tif 000003
【図１ｂ】
2008303065.tif 000004
【図２】
2008303065.tif 000005
【図３ａ】
2008303065.tif 000006
【図３ｂ】
2008303065.tif 000007
【図３ｃ】
2008303065.tif 000008
【図３ｄ】
2008303065.tif 000009
【図３ｅ】
2008303065.tif 000010
【図４ａ】
2008303065.tif 000011
【図４ｂ】
2008303065.tif 000012
【図４ｃ】
2008303065.tif 000013
【図５ａ】
2008303065.tif 000014
【図５ｂ】
2008303065.tif 000015